(57)【要約】      （修正有）【課題】野球用バットやゴルフクラブなどのスイング動作において必要不可欠な下半身の筋力を養成し、もってスイング動作の中心線となる体軸を安定させるスイング練習を目的とする健康器具を提供する。【解決手段】フレーム１の内側に踏み台２及び踏み台３を置き、踏み台２及び踏み台３は、それぞれに取付けられたボルト８ａ及び８ｃがフレーム１に開けられた穴を移動して、間隔及び逆ハの字型に設置する角度を調整した後、ボルト８ａ及び８ｃを穴に入れることで固定され、踏み台３に回転可能な円盤を配置し、スイング時にスイング練習者の足を容易に回転できるようにして、スイング練習者が体軸を安定させたスイング練習をすることを可能とする。【選択図】図１
0003158997.tif 000002
【実用新案登録請求の範囲】
【請求項１】
野球、ソフトボール用のバット、ゴルフクラブ、テニス、卓球、バトミントンのラケット等のスイング練習具であって、地面に設置したフレームの内側に逆ハの字型に配置した踏み台に足を置いてスイングの練習をすることで、スイング動作において必要不可欠な下半身の筋力を養成し、もってスイング動作の中心線となる体軸を安定させたスイング練習をすることができることを特徴とする道具。
【考案の詳細な説明】
【技術分野】
【０００１】  本考案は、健康器具に関するものであって、特に、ソフトボール用のバット、ゴルフクラブ、テニス、卓球、バトミントンのラケット等のスイング練習においてスイング練習者の下半身の筋力を養成し、もって体軸を安定させることを補助する健康器具に関するものである。
【背景技術】
【０００２】  従来周知の野球、ソフトボール用のバット、ゴルフクラブ、テニス、卓球、バトミントンのラケット等のスイング練習具においては、それぞれ実際に競技等を行う際の道具であるバット、クラブ、ラケット等の形状に類似させた道具が多かった。【０００３】  しかし、実際に競技等を行う際の道具の形状に類似させたものであるため、スイング練習者はその道具を取り扱う際に必要な人体の特定の部位の鍛錬はできるものの、バット、クラブ、ラケット等のスイング動作において必要不可欠な下半身の筋力の養成を目的とするものでなく、スイング練習者においては、スイング動作に必要な下半身の筋力を養成し、もってスイング動作の中心線となる体軸を安定させることはほとんどできなかった。
【考案の開示】
【考案が解決しようとする課題】
【０００４】  本考案は、スイング動作において必要不可欠な下半身の筋力を養成し、もってスイング動作の中心線となる体軸を安定させることを目的とするものである。
【課題を解決するための手段】
【課題を解決するための手段】
【０００５】  上記の目的を達成するため、本考案の道具は、フレーム１の内側に踏み台２及び踏み台３を置き、踏み台２及び踏み台３は、それぞれに取付けられたボルト８ａ及び８ｃがフレーム１に開けられた穴１０ａを移動して、間隔及び逆ハの字型に設置する角度を調整した後、ボルト８ａ及び８ｃを穴１０ｂに入れることで固定され、踏み台３に回転可能な円盤を配置し、スイング時にスイング練習者の足を容易に回転できるようにして、スイング練習者が体軸を安定させたスイング練習をすることを可能とすることにより課題を解決する。
【考案の効果】
【０００６】  本考案は、フレーム１の内側に逆ハの字型に設置した踏み台２及び踏み台３の上でスイング練習をすることにより、両足の内側の筋肉群を鍛錬し、下半身の筋力を養成することで、スイングの中心線となる体軸を安定させることができるようになる。また、踏み台２及び踏み台３相互の間隔とそれぞれの踏み台の角度を可変とすることにより、スイング練習者の体格に合わせた練習を可能とする。更に、踏み台の一方に回転可能な円盤を配置し、その上で練習することにより、スイング方向と逆側の足を容易に回転できるようにして、実際のスイングと同じような感覚を持つことが可能になり、また練習時の怪我の発生を予防することもできる。
【考案を実施するための最良の形態】
【０００７】  本考案にかかるＢＢステッパーは、図１に示すように、踏み台２または踏み台３を逆ハの字型に設置するためのブリッジ９と踏み台２および踏み台３にボルト８ｂにより連結する。その後、フレーム１と踏み台２および踏み台３をボルト８ａにより連結し、ブリッジ９とフレーム１をボルト８ｃにより連結する。これにより、踏み台２または踏み台３を逆ハの字型に設置して、その上にスイング練習者が足を置き、スイング練習をすることが可能となる。フレーム１の強度を増すためにフレーム７を取付ける。【０００８】  図１にあるように、踏み台２は四角形である。図１及び踏み台２の側面図である図３からわかるように、踏み台２の側面に、踏み台２を逆ハの字型に設置するためのブリッジ９を設置し、ボルト８ｂにより連結する。ブリッジ９をボルト８ｃによりフレーム１に連結する。ボルト８ａにより踏み台２をフレーム１に連結する。【０００９】  図１にあるように、踏み台３は四角形の底板に、足置き用円盤４ａと、円盤４ａの回転を安定させるために裏側に設置した円盤４ｂ、円盤４ａの回転を支持するために円盤４ａの裏側に設置した軸５ａ、軸５ａを受ける軸受け５ｂを設置する。図５は踏み台３を短辺に平行な直線により切断した断面図である。図６は踏み台３を長辺に平行な直線により切断した断面図である。図４は踏み台３の側面図である。これに示すように踏み台３を逆ハの字型に設置するためのブリッジ９を踏み台３の側面に設置し、ボルト８ｂにより連結する。ブリッジ９をボルト８ｃによりフレーム１に連結する。ボルト８ａにより踏み台２をフレーム１に連結する。円盤４ａと円盤４ｂと軸５ａと軸受け５ｂは全て同心円状に配置する。踏み台３には、スイング練習者がスイング練習中に円盤から足を踏み外した場合に怪我などを生じないように保護用足置き６を円盤４ａの左右に設置する。【００１０】  フレーム１の側面には、穴１０ａを開け、ボルト８ａ及びボルト８ｃをスライドさせて踏み台２及び３の間隔及び設置角度を調整する。穴１０ａに接するように半円形の穴１０ｂを開けて、ボルト８ａ及びボルト８ｃを固定し、踏み台２及び３の間隔及び設置角度を決定する。穴１０ｂは、スイング練習者の体格に応じたスイング練習を可能にするため、できる限り多く開けることが望ましい。穴１０ａは、ボルト８ａ及びボルト８ｃをスライドさせ穴１０ｂに固定させるためのものであるため、穴１０ｂの個数に応じて長さを決めることが望ましい。
【図面の簡単な説明】
【００１２】
【図１】  本考案にかかるＢＢステッパーを上面から見た平面図である。
【図２】  本考案にかかるＢＢステッパーのフレーム１を横から見た平面図である。
【図３】  本考案にかかるＢＢステッパーの踏み台（１）を横から見た平面図である。
【図４】  本考案にかかるＢＢステッパーの踏み台（２）を横から見た平面図である。
【図５】  本考案にかかるＢＢステッパーの踏み台（２）の短辺に平行に中心を通る直線で切断した断面図である。
【図６】  本考案にかかるＢＢステッパーの踏み台（２）の長辺に平行に中心を通る直線で切断した断面図である。
【符合の説明】
【００１２】１  フレーム
２  足置き用円盤を設置していない踏み台
３  足置き用円盤を設置した踏み台
４ａ  踏み台３に設置した足置き用円盤
４ｂ  円盤４ａを安定させるために設置する円盤
５ａ  円盤４ａの回転を支持する軸
５ｂ  軸５ａを受ける軸受け
６  踏み台３に設置した保護用足置き
７  フレーム１の強度を増すための補助フレーム
８ａ  踏み台２または踏み台３とフレーム１を連結するボルト
８ｂ  ブリッジ９と踏み台２または踏み台３を連結するボルト
８ｃ  ブリッジ９とフレーム１を連結するボルト
９  踏み台２または踏み台３を逆ハの字型に設置するためのブリッジ
１０ａ  フレーム側面に開けた穴
１０ｂ  穴１０ａに開けたボルト８を固定するための穴
【図１】
0003158997.tif 000003
【図２】
0003158997.tif 000004
【図３】
0003158997.tif 000005
【図４】
0003158997.tif 000006
【図５】
0003158997.tif 000007
【図６】
0003158997.tif 000008
【手続補正書】
【提出日】平成22年2月8日(2010.2.8)
【手続補正１】
【補正対象書類名】実用新案登録請求の範囲
【補正対象項目名】全文
【補正方法】変更
【補正の内容】
【実用新案登録請求の範囲】
【請求項１】
フレーム１の内側に踏み台２及び回転可能な足置き用円盤４ａを設置した踏み台３を置き、踏み台２及び踏み台３に取付けられたボルト８ａ及び８ｃを、フレーム１に開けられた穴１０ａを移動させて踏み台２及び踏み台３の間隔及び逆ハの字型に設置する角度を調整した後、ボルト８ａ及び８ｃを穴１０ｂに入れることで固定し、野球、ソフトボール用のバット、ゴルフクラブ、テニス、卓球、バトミントンのラケットのスイングの練習を行う者が、フレーム１に固定された踏み台２及び踏み台３に足を乗せてスイングの練習を行う道具。